(57)【特許請求の範囲】
【請求項１】
複数枚の重ね合わされた表示体とこの表示体を後傾状態で支持する支持体とからなる卓上カレンダーにおいて、
前記支持体は、表示体の所要部を表出させる窓を備えた正面板とこの正面板の一側辺に前記表示体の重ね厚みに応じた幅の保形片を介して連続して前記正面板と相対する保形板とを有して、正面板と保形板との間に前記表示体が着脱可能に配置され、
かつ、前記正面板の上辺に表示体の重ね厚みに応じた幅の保形片を介して連続して正面板の背部側に開いた上背面板と、表示体の重ね厚みに応じた幅の保形片を介して連続して正面板の背部側に開いた下背面板とが相互に着脱可能に係止して、前記上背面板が正面板を後傾させて支持する構成としたことを特徴とする卓上カレンダー。
【請求項２】
上記上背面板と下背面板との一方に係止孔を有し、他方に前記係止孔に差入れ係止可能な係止片を有し、前記係止孔を有する前記一方の面板に、係止孔に係止した係止片に弾性的に当接して該係止片の係止状態を保持する押圧片が切り込み形成されている請求項１に記載の卓上カレンダー。
【発明の詳細な説明】
【０００１】
【発明の属する技術分野】
本発明は卓上カレンダーに関するものである。
【０００２】
【発明が解決しようとする課題】
従来から卓上カレンダーにあっては、例えば、後傾した支持面を支える脚を有するとともに支持板の両側部と底部とに受け溝を設けた支持体と、一ヶ月分の日付を表示した紙材からなる複数枚の表示体とからなり、支持体の受け溝に差し入れるようにして複数枚の表示体を支持面の前面に位置させるようにした簡易な構造のものがある。そして、このような卓上カレンダーの表示体は印刷された紙材であり、支持体は合成樹脂の成形物としたり合成樹脂シートを組み起こしたものとしている。
【０００３】
ところで、カレンダーという商品は毎年、年が変ると新しいものと交換され、不要となったカレンダーは廃棄処分することとなる。この廃棄処分する点で上記卓上カレンダーにはつぎのような問題が生じていた。即ち、簡易構造の卓上カレンダーにあっては、サービス品などとして非常に多く配布されることが一般的であって、表示体と支持体とをセットにして配布しているのが現状であり、そして、不要となった場合、合成樹脂材からなる支持体を不燃物として廃棄処分しなければならず、可燃物である表示体との分別の手間だけでなく不燃物ゴミの増大を招くという問題を有している。
そこで本発明は、表示体と支持体との両者を紙材で形成することを課題とし、卓上カレンダーを紙製とすることで不要物の破棄処分が簡単に行なえるようにすることを目的とする。
【０００４】
【課題を解決するための手段】
本発明は上記課題を考慮してなされたもので、複数枚の重ね合わされた表示体とこの表示体を後傾状態で支持する支持体とからなる卓上カレンダーにおいて、前記支持体は、表示体の所要部を表出させる窓を備えた正面板とこの正面板の一側辺に前記表示体の重ね厚みに応じた幅の保形片を介して連続して前記正面板と相対する保形板とを有して、正面板と保形板との間に前記表示体が着脱可能に配置され、かつ、前記正面板の上辺に表示体の重ね厚みに応じた幅の保形片を介して連続して正面板の背部側に開いた上背面板と、表示体の重ね厚みに応じた幅の保形片を介して連続して正面板の背部側に開いた下背面板とが相互に着脱可能に係止して、前記上背面板が正面板を後傾させて支持する構成としたことを特徴とする卓上カレンダーを提供させて、上記課題を解消するものである。
そして、本発明において、上記上背面板と下背面板との一方に係止孔を有し、他方に前記係止孔に差入れ係止可能な係止片を有し、前記係止孔を有する前記一方の面板に、係止孔に係止した係止片に弾性的に当接して該係止片の係止状態を保持する押圧片が切り込み形成されているものとすることができるものである。
【０００５】
【発明の実施の形態】
つぎに本発明を図１から図３に示す実施の形態に基づいて詳細に説明する。
図中１は卓上カレンダーで、該卓上カレンダー１はそれぞれ一ヶ月分の日にちが印刷されて月順に重ねられた紙材からなる１２枚の表示体２と、この表示体２を後傾状態で安定させて支持する紙材からなる支持体３とで構成されているものである。
上記支持体３は、図２の展開された状態で示すように、正面板４と保形板５と上背面板６と下背面板７とを備えてなるものである。前記正面板４は上記表示体２の日にち部分を表出させることができるように開放された窓８を備えている。そして、正面板４の窓８から日にち表示を示すように配置した複数枚の前記表示体２を重ね合わせ状態のままで前記正面板４との間に挟み込む保形片５は、前記正面板４の一側辺に表示体２の重ね厚みに応じた幅の保形片９を介して連続している。
【０００６】
また、上記上背面板６においても正面板４の上辺に表示体２の重ね厚みに応じた幅の保形片９を介して連続していて、上記保形板５側に重ね合わせることができるとともに、前記保形片９側を中心にして保形板５の背部側に回動可能に設けられている。
同様に、上記下背面板７も、正面板４の下辺に表示体２の重ね厚みに応じた幅の保形片９を介して連続していて、保形板５側に重ね合わせることができるとともに、この下背面板７が連続している保形片９側を中心にして保形板５の背部側へと回動可能に設けられている。
そして、図３に示すように上記上背面板６と下背面板７とが相互に着脱可能に係止していて、重ね合わせ状態となっている正面板４や保形板５、表示体２に対しての前記両背面板６、７の開き角度それぞれが固定されるようになる。即ち、上背面板６の後ろ側への開き角度が維持された状態となって、その上背面板６の下端が接地することで表示体２の後傾状態を維持するようにしている。
【０００７】
上背面板６と下背面板７との係合は、上背面板６に、該上背面板６の接地辺側に打ち抜き形成してなる横長の係止孔１０を設けるとともに、この係止孔１０に対応して下背面板７の上辺側に張り出すようにして形成された係止片１１を設けて、この係止片１１を前記係止孔１０に着脱可能に係止させたものである。そして、この実施例における支持体３の前記係止孔１０にあっては、図２に示すように、係止片１１において幅狭とした首部１２のみを位置させることのできる段部１３が設けられていて、係止孔１０に前記係止片１１を差し入れて前記首部１２を段部１３に位置させることで、係止片１１が係止孔１０に係止するようになる。勿論、上背面板６と下背面板７との係合関係を解くには、係止片１１の首部１２を係止孔１０の段部１３から外して係止片１１を係止孔１０から抜くようにすればよい。
さらに、係止孔１０が設けられている上背面板６には、係止孔１０の両端に連続するようにして入れたスリットにより切り込み形成された押圧片１４を有しており、この押圧片１４が、係止孔１０に差し入れて係止している係止片１１に弾性的に当接してその係止片１１の係止状態を維持するようにしている。
なお、押圧片１４の幅は前記係止片１１の幅と同じにして上下方向に或る程度の長さを有するものとして形成されており、係止片１１を差し入れる際には保形板５側に湾曲させて係止片１１自体の挿入が簡単に行なえるように設けられている。さらに押圧片１４の両側の縦スリット部分を長くして、押圧片１４を保形板５側に位置させ係止片１１を外方に位置させた入れ子状態で上背面板６と下背面板７とを重ね合わせできるように（即ち、支持体を偏平にできるように）して、上背面板６と下背面板７との引き起こしですぐに図３に示されるような係合状態が得られるようにしている。
【０００８】
上記上背面板６と下背面板７との係合関係において、上記実施の例では上背面板６側に係止孔１０、押圧片１４を設け、下背面板７側に係止片１１を設けたが、本発明はこれに限定されるものではなく、下背面板７側に係止孔１０、押圧片１４を設け、上背面板６側に係止片１１を設けてもよい。このようにして上背面板６と下背面板７とが係止することで複数枚の表示体２が後傾状態で維持される。また、複数枚の表示体２は上下と一側方とが上記保形片９で囲まれる状態となり、残り一方の開放部分から表示体２全体や各表示体２を抜き差しできるようにしているものである。
【０００９】
【発明の効果】
以上説明したように、本発明の卓上カレンダーによれば、複数枚の重ね合わされた表示体とこの表示体を後傾状態で支持する支持体とからなるものであって、前記支持体は、表示体の所要部を表出させる窓を備えた正面板とこの正面板の一側辺に前記表示体の重ね厚みに応じた幅の保形片を介して連続して前記正面板と相対する保形板とを有して、正面板と保形板との間に前記表示体が着脱可能に配置され、かつ、前記正面板の上辺に表示体の重ね厚みに応じた幅の保形片を介して連続して正面板の背部側に開いた上背面板と、表示体の重ね厚みに応じた幅の保形片を介して連続して正面板の背部側に開いた下背面板とが相互に着脱可能に係止して、前記上背面板が正面板を後傾させて支持する構成としたことを特徴とするものであり、構造が極めて簡単なものとなって、従来のような合成樹脂材からなる支持体を用いずに紙材からなる支持体で、同じく紙材からなる表示体を支持する卓上カレンダーが構成できる。よって、卓上カレンダー全体を紙材から構成することで、廃棄処分も頗る簡単なものとなるなど、実用性に優れた効果を奏するものである。
【図面の簡単な説明】
【図１】本発明に係る卓上カレンダーの一例を示す説明図である。
【図２】一例における支持体を展開した状態で示す説明図である。
【図３】一例における上背面板と下背面板との係合状態を示す説明図である。
【符号の説明】
１…卓上カレンダー
２…表示体
３…支持体
４…正面板
５…保形板
６…上背面板
７…下背面板
８…窓
９…保形片
１０…係止孔
１１…係止片
１２…首部
１３…段部
１４…押圧片
【図１】
0003714096.tif 000002
【図２】
0003714096.tif 000003
【図３】
0003714096.tif 000004